(57)【要約】【課題】容易に特定できるストラップを備えたゴルフバッグを提供する。【解決手段】ゴルフバッグ１０は、一端部を上側部材１４へ、他端部を下側部材１６へ取付けられたチューブ状の本体１２を備える。ショルダーストラップ２０は、上側部材１４近くに配置される上端部２２と、上側部材１４と下側部材１６との中間に配置される下端部２４を有する。ショルダーストラップ２０を引込位置に付勢し、ショルダーストラップ２０の引込位置から伸張位置へ移動を許容するための機構２６が設けられている。この機構２６は、弾性コード２８、弾性コード２８を下側部材１４へ接続する留め具３０、および弾性コード２８を、ショルダーストラップ２０の上端部の延出部２３へ接続するリング３８を備えることができる。【選択図】    図１
2005028135.tif 000002
【特許請求の範囲】
【請求項１】
一端部を上側部材へ取り付けられ、他端部を下側部材へ取付けられたほぼチューブ状の本体と、
前記上側部材近くに配置される上端部、および前記上側部材と下側部材との中間に配置される下端部を有するショルダーストラップと、
前記ショルダーストラップを引込位置に付勢し、かつ前記ショルダーストラップの前記引込位置から伸張位置への移動を許容するための機構と、
を有するゴルフバッグ。
【請求項２】
前記機構は、前記ショルダーストラップの前記上端部へ接続される弾性コードを備える請求項１に記載のゴルフバッグ。
【請求項３】
前記機構は、前記弾性コードを前記下側部材へ接続する留め具をさらに備える請求項２
に記載のゴルフバッグ。
【請求項４】
前記機構は、前記弾性コードを前記ショルダーストラップ上端部の延出部へ接続するリングをさらに備える請求項３に記載のゴルフバッグ。
【請求項５】
前記ショルダーストラップ上端部の前記延出部は、前記リングを通って延びて、前記上側部材へ留められている請求項４に記載のゴルフバッグ。
【請求項６】
前記上側部材には開口部が形成されており、前記ショルダーストラップ上端部の前記延出部が前記開口部を通っている請求項５に記載のゴルフバッグ。
【請求項７】
前記留め具は解放可能となっていて、前記弾性コードを前記留め具から解放して前記機構を非作動状態とすることができる請求項６に記載のゴルフバッグ。
【請求項８】
前記留め具は、互いに離脱自在に保持される重なり合う端部を有する一対の帯片を備える請求項７に記載のゴルフバッグ。
【請求項９】
前記帯片の重なり合う端部に離脱自在な締結手段がさらに設けられている請求項８に記載のゴルフバッグ。
【請求項１０】
一端部を上側部材に取付けられ、かつ他端部を下側部材へ取付けられたほぼチューブ状の本体を有するゴルフバッグにおける改良であって、
前記上側部材近くに配置される上端部、および前記上側部材と下側部材との中間に配置される下端部を有するショルダーストラップと、
前記ショルダーストラップを引込位置に付勢し、かつ前記ショルダーストラップの前記引込位置から伸張位置への移動を許容する弾性手段とを含む改良。
【請求項１１】
前記弾性手段は、前記ショルダーストラップの前記上端部へ接続される弾性コードを備える請求項１０に記載の改良。
【請求項１２】
前記弾性コードを前記下側部材へ接続する留め具と、
前記弾性コードを前記ショルダーストラップ上端部の延出部へ接続するリングとをさらに含む請求項１１に記載の改良。
【請求項１３】
一端部を上側部材へ取付けられ、かつ他端部を下側部材へ取り付けられたほぼチューブ状の本体と、
前記上側部材近くに配置される上端部、および前記上側部材と下側部材との中間に配置される下端部を有するショルダーストラップと、
前記ショルダーストラップを引込位置に付勢し、かつ前記ショルダーストラップの前記引込位置から伸張位置への移動を許容するための機構とを備えるゴルフバッグであって、
前記機構は、前記ショルダーストラップの前記上端部へ接続される弾性コードと、前記弾性コードを前記下側部材へ接続する留め具と、前記弾性コードを前記ショルダーストラップ上端部の延出部へ接続するリングとを備え、
前記ショルダーストラップ上端部の前記延出部は、前記リングを通って延びて前記上側部材へ留められ、
前記上側部材には開口部が形成されていて、前記ショルダーストラップ上端部の前記延出部が前記開口部を通っており、
前記留め具は解放可能となっていて、前記弾性コードを前記留め具から解放して前記機構を非作動状態とすることができる作動解除できるゴルフバッグ。
【発明の詳細な説明】
【技術分野】
【０００１】
本発明は、一般にゴルフ用具、特にゴルフバッグ用の伸張自在で引込自在のショルダーストラップに関する。
【背景技術】
【０００２】
Ｊ．Ｎ．Ｂｅｅｂｅなどへ付与された特許文献１に開示されるような二重ショルダーストラップをゴルフバッグが有する場合、その二重ストラップは、ゴルフバッグを特定の仕方で担ぐのに使用されるようになっている。言いかえれば、二重ストラップは同一であるようにみえるが、ストラップの一方は、特に人の右肩に使用されるようになっており、またストラップの他方は、特に人の左肩に使用されるようになっている。また二重ストラップは、適切に使用するために、特定の順序で人の肩に掛けなければならない。
【０００３】
【特許文献１】米国特許第５，９５４，２５５号
【発明の開示】
【発明が解決しようとする課題】
【０００４】
Ｎ．Ｂｅｅｂｅなどの特許に開示されるような二重ストラップを有するゴルフバッグにおいては、人が、どのストラップを右肩に掛けるか、またどのストラップを左肩に掛けるかを判断するのを迷うことがあるので、問題がある。したがって、本発明の目的は容易に特定できるストラップ及びこのようなストラップを備えたゴルフバッグを提供することにある。
【課題を解決するための手段】
【０００５】
本発明は、一端部を上側部材へ取付けられ、かつ他端部を下側部材へ取付けられたほぼチューブ状の本体を有するゴルフバッグを提供する。ショルダーストラップは、上側部材近くに配置される上端部、および上側部材と下側部材との中間に配置される下端部を有する。ショルダーストラップを引込位置に付勢し、かつショルダーストラップの引込位置から伸張位置への移動を許容するための機構が設けられている。本発明の好ましい実施例において、その機構は、ショルダーストラップの上端部へ接続される弾性コードのような弾性手段を備える。ショルダーストラップの上端部は、ショルダーストラップが、その機構により引込位置に動かされるたびに、上側部材に隣接する同じ位置まで戻されるので、人がショルダーストラップの位置を定めるのが容易になり、かつそれを利用して、上半身を殆どまたは全く曲げることなくゴルフバッグを持ち上げるのが容易になる。その機構は、弾性コードを下側部材へ接続する留め具、および弾性コードをショルダーストラップ上端部の延出部へ接続するリングも備えることができる。本発明が二重ショルダーストラップを有するゴルフバッグに使用される場合には、人が、ストラップを互いに容易に区別できるように、ついでどのストラップが右肩用であるか、およびどのストラップが左肩用であるかを容易に判断できるように、ストラップの１つだけに、上述の機構が具備される。これにより、上述の問題が解決される。
【発明を実施するための最良の形態】
【０００６】
図１を参照すると、ゴルフバッグ１０は、一般にチューブ状本体１２を備え、その一端部に開放した上側部材１４が装着されている。本体１２の他端部には、閉止された下側部材１６が装着されている。ゴルフクラブは、従来の仕方で上側部材１４を通じて挿入および取出しできる。ゴルフバッグ１０は、本体１２の片側に沿って取付けられる保管ポケット１８も備える。
【０００７】
上側及び下側部材１４、１６は好ましくは、成形プラスチックのような剛性材料から形成される一方、本体１２は好ましくは、ナイロン繊維のような可撓性材料から形成される。ここに参照によって導入する、Ｇ．Ｊ．Ｓｃｈｍｉｄｔへ付与された米国特許第Ｄ４５４，２４９号は、上側部材１４として使用できるゴルフバッグ分割上端部を開示し、またここに参照によって導入する、Ｌ．Ｊ．Ｂｒｙａｎｔなどへ付与された米国特許第Ｄ３７２，３６２号は、下側部材１６として使用できるゴルフバッグ下端組立体を開示する。
【０００８】
ショルダーストラップ２０が、上側部材１４近くに配置される上端部２２、および上側及び下側部材１４、１６の中間に位置決めされる下端部２４を有する。ショルダーストラップ２０は、ゴルフバッグ１０を担ぐために、従来の仕方で人の肩へ掛け、かつ利用することができる。所望により、ショルダーストラップ２０を、人の肩に合致した永久的な湾曲を有するように予め成形することができる。ショルダーストラップ２０の上端部２２は、図２と３に最も良く示される機構２６へ接続されており、この機構２６は、ショルダーストラップ２０を図１に破線で示される引込位置に付勢し、かつショルダーストラップ２０の引込位置から図１に実線で示される伸張位置への移動を許容する。ショルダーストラップ２０の下端部２４は、縫い付けまたはリベット留めのような従来の手段により本体１２へ接続される。
【０００９】
図２と３を参照すると、機構２６には、弾性コード２８のような弾性手段が備えられ、この弾性手段すなわち弾性コード２８は、該弾性コード２８を下側部材１６へ接続する留め具３０に通されている。留め具３０は、下側部材１６の外壁１６ａへ縫合３２により固定される。図５に最も良く示されるように、留め具３０は、重なり合う端部３４ａ、３６ａを有する、ナイロンのような繊維から成る一対の帯片３４、３６から構成される。帯片３４、３６のこれらの端部３４ａ、３６ａは、従来の面ファスナーのような解放自在な締結手段を利用して、互いに解放自在に保持される。したがって、留め具３０が解放可能となっているので、所望により弾性コード２８を留め具３０から解放して、機構２６を非作動状態とすることができる。
【００１０】
弾性コード２８は、ショルダーストラップ２０がその伸張された位置にあるときにおいて、図２に示されるように、上側部材１４の近くに配置されるリング３８へ結ばれている。リング３８は、弾性コード２８を、ショルダーストラップ２０の上端部２２の延出部２３へ接続している。図４に最も良く示されるように、延出部２３は、リング３８を通って延びて、上側部材１４の外壁１４ａへ縫合４０により留められている。ショルダーストラップ２０の上端延出部２３は、上側部材１４に形成された開口部１５を通っている。ショルダーストラップ２０が、その引込位置にあるときには、リング３８は、（図３に示されるように）下側部材１６へ向けて下方へ動いており、ショルダーストラップ２０の上端部２２が、上側部材１４と接触している。
【００１１】
理解されるように、ショルダーストラップ２０は、機構２６により、図１に破線で示された引込位置に向けて常に付勢されている。人がショルダーストラップ２０を利用して、ゴルフバッグ１０を持ち上げると、ショルダーストラップ２０は、図１に実線で示される伸張位置に動かされる。引込位置から伸張位置までのショルダーストラップ２０の移動は、図２に図示されるように弾性コード２８の引張り作用により可能となる。ショルダーストラップ２０は、外されると、図３に示されるように弾性コード２８の引込作用により、引込位置に動かされる。ショルダーストラップ２０が機構２６により、その引込位置に動かされるたびに、その上端部２２は、開口部１５に隣接する上側部材１４と接触する同じ位置まで戻される。これにより、弾性コード２８の引込作用が限定される一方、人がショルダーストラップ２０の位置を定めるのが容易になり、かつそれを利用して、上半身を殆どまたは全く曲げることなくゴルフバッグ１０を持ち上げるのが容易になる。
【００１２】
単一のショルダーストラップ２０の代わりに二重ショルダーストラップを有するゴルフバッグ（図示されない）においては、二重ストラップの１つだけに、機構２６が具備される。これにより、人が、ストラップを互いに容易に区別できるし、ついでどのストラップが右肩用であるか、およびどのストラップが左肩用であるかを容易に判断できる。
【図面の簡単な説明】
【００１３】
【図１】好ましい実施例の伸張自在で引込自在のショルダーストラップを具体化したゴルフバッグの斜視図である。
【図２】ショルダーストラップが伸張位置にあるときの、ショルダーストラップを伸張し、および引込む機構の拡大断面図である。
【図３】ショルダーストラップが引込位置にあるときの、図２に示した機構の拡大断面図である。
【図４】図２における線４−４に沿って切った拡大断面図である。
【図５】図２における線５−５に沿って切った拡大断面図である。
【符号の説明】
【００１４】
１０  ゴルフバッグ
１２  本体
１４  上側部材
１５  開口部
１６  下側部材
２０  ショルダーストラップ
２２  上端部
２３  延出部
２４  下端部
２６  機構
２８  弾性コード
３０  留め具
３８  リング
【図１】
2005028135.tif 000003
【図２】
2005028135.tif 000004
【図３】
2005028135.tif 000005
【図４】
2005028135.tif 000006
【図５】
2005028135.tif 000007